(57)【要約】      （修正有）【課題】部品点数を増大させないで挟持物の幅に左右されることなく、挟持物の挟持が迅速かつ容易に行なえるクランプ治具を得る。【解決手段】上下方向に貫通するねじ孔２３と左右方向に貫通するスライド孔２４とを有する連結部材２１を設け、上下方向に延びる縦辺２９と該縦辺の上部にて左右方向に延びる上辺３０とを一体に有する正面視Ｌ形のクランプアーム２６を二組み設けるとともに、前記縦辺の下端部に互いに対向する挟持爪２７を設け、前記各クランプアームを対向させてその上辺を前記スライド孔に摺動可能に挿通し、前記ねじ孔に操作ボルト４７を上方から螺合させてその下部を下方に突出させ、左右端が前記各クランプアームの上辺に摺動可能に係止し、左右方向中心部が前記操作ボルトの下端に対面する作動部材３５を設け、前記各クランプアームの上辺に、前記縦辺に対して外側方に突出する補助上辺３１を設けた。【選択図】図１
2007307653.tif 000002
【特許請求の範囲】
【請求項１】
上下方向に貫通するねじ孔（２３）と左右方向に貫通するスライド孔（２４）とを有する連結部材（２１）を設け、上下方向に延びる縦辺（２９）と該縦辺（２９）の上部にて左右方向に延びる上辺（３０）とを一体に有する正面視Ｌ形のクランプアーム（２６）を二組み設けるとともに、前記縦辺（２９）の下端部に互いに対向する挟持爪（２７）を設け、前記各クランプアーム（２６）を対向させてその上辺（３０）を前記スライド孔（２４）に摺動可能に挿通し、前記ねじ孔（２３）に操作ボルト（４７）を上方から螺合させてその下部を下方に突出させ、左右端が前記各クランプアーム（２６）の上辺（３０）に摺動可能に係止し、左右方向中心部が前記操作ボルト（４７）の下端に対面する作動部材（３５）を設け、前記各クランプアーム（２６）の上辺（３０）に、前記縦辺（２９）に対して外側方に突出する補助上辺（３１）を設けたことを特徴とするクランプ治具。
【請求項２】
各縦辺（２９）の下部（２９ａ）を該縦辺（２９）の上部（２９ｂ）に対して互いに接近する方向に偏倚させたことを特徴とする請求項１記載のクランプ治具。
【請求項３】
作動部材（３５）の下部に板ばね製のクリップ（４２）を設け、該クリップ（４２）は前記作動部材（３５）に固定される取付け辺（４３）と、該取付け辺（４３）の両側から下方に突出するとともに互いに対面方向に湾曲する一対の挟持辺（４４）とを有してなることを特徴とする請求項１又は２記載のクランプ治具。
【請求項４】
クリップ（４２）の取付け辺（４３）を、挟持辺（４４）を有する両側に対して中心が下方に突出する如く湾曲させ、該取付け辺（４３）を作動部材（３５）の平坦な下面に対面させるとともに、該取付け辺（４３）を前記作動部材（３５）の下面に押し付けて平坦状に弾性変形させる締め具（４５）を設けたことを特徴とする請求項１〜３いずれか１項に記載のクランプ治具。
【発明の詳細な説明】
【技術分野】
【０００１】
本発明は、挟持幅の調節及び挟持物の挟持が迅速かつ容易に行なえるクランプ治具に関するものである。
【背景技術】
【０００２】
従来の技術として、図５に示すクランプ治具があった。図５において、１はクランプ治具であり、直方体状の連結部材２、正面視Ｌ形に屈曲させた二組みのクランプアーム５、作動部材１０、及び操作ボルト１５を主要部品として構成される。
【０００３】
前記連結部材２は、中心部にねじ孔３を上下方向に貫通形成し、前後両側にスライド孔４を左右方向に貫通形成してなる。前記クランプアーム５は、挟持爪６を有する連結駒７の前後縁部から一対の縦辺８を上方に延出させ、該縦辺８の上端から上辺９を左右方向（横向き）に延出させてなり、二組みのクランプアーム５を互いに対向させるとともに、それぞれの上辺９，９を連結部材２のスライド孔４に左右方向から交差させて摺動自在に嵌合させる。
【０００４】
前記作動部材１０は、左右に細長い受け板１１の左右両側に前後一対の懸垂アーム１２を上に向けて延出形成し、該懸垂アーム１２の上端部に下方に向かって反転屈曲するフック１３を形成し、該フック１３を前記各クランプアーム５の上辺９に上方から摺動可能に係止する。また、前記受け板１１の左右中心部の上面に嵌合孔を有するガイド１４を固定する。
【０００５】
前記操作ボルト１５は、頭部に操作用のつまみ１６を有し、ねじ部１７を前記連結部材２のねじ孔３に上方から螺合させ、該ねじ部１７の下部を前記ガイド１４に遊嵌させる。
【０００６】
そして、前記クランプ治具１により挟持物Ｗ１を挟持する際には、まず、左右のクランプアーム５，５を接近方向に移動させてその挟持爪６，６を挟持物Ｗ１の左右側に当接させ、次いで、操作ボルト１５をねじ込み、ねじ部１７の下端で作動部材１０を下方に押圧する。さすれば、各クランプアーム５，５の上辺９，９が前記作動部材１０のフック１３を介して下方に引っ張られ、左右のクランプアーム５，５がスライド孔４を中心として下方に回動し、左右の挟持爪６，６が接近方向に移動して前記挟持物Ｗ１を挟圧するとともに、各クランプアーム５，５の上辺９，９の交差角度が大きくなって前記スライド孔４に係合する。これにより前記挟持物Ｗ１を挟持することになる。
【０００７】
前記従来のものは、縦辺８が上辺９の最外端から下方に延びていたため、該左右の縦辺９，９、従って挟持爪６，６が大きく接近すると、左右の上辺９，９がフック１３から外れてクランプ治具１の挟持力が失われることになる。このため、幅の狭い挟持物を挟持する際には、縦辺８，８の下端部に左右方向に移動調節可能なねじ式の補助爪を取り付ける必要があり、構造が複雑になるとともに、クランプ治具１による挟持物の挟持が煩雑になるものであった。
【特許文献１】特許第２８０２９１０号公報
【発明の開示】
【発明が解決しようとする課題】
【０００８】
本発明は、部品点数を増大させないで挟持物の幅に左右されることなく、挟持物の挟持が迅速かつ容易に行なえるクランプ治具を得ることを目的とする。      
【課題を解決するための手段】
【０００９】
本発明は、前記目的を達成するために以下の如く構成したものである。即ち、請求項１に係る発明は、
上下方向に貫通するねじ孔と左右方向に貫通するスライド孔とを有する連結部材を設け、上下方向に延びる縦辺と該縦辺の上部にて左右方向に延びる上辺とを一体に有する正面視Ｌ形のクランプアームを二組み設けるとともに、前記縦辺の下端部に互いに対向する挟持爪を設け、前記各クランプアームを対向させてその上辺を前記スライド孔に摺動可能に挿通し、前記ねじ孔に操作ボルトを上方から螺合させてその下部を下方に突出させ、左右端が前記各クランプアームの上辺に摺動可能に係止し、左右方向中心部が前記操作ボルトの下端に対面する作動部材を設け、前記各クランプアームの上辺に、前記縦辺に対して外側方に突出する補助上辺を設ける構成にしたものである。
請求項２に係る発明は、前記各縦辺の下部を該縦辺の上部に対して互いに接近する方向に偏倚させたものである。
請求項３に係る発明は、前記作動部材の下部に板ばね製のクリップを設け、該クリップは前記作動部材に固定される取付け辺と、該取付け辺の両側から下方に突出するとともに互いに対面方向に湾曲する一対の挟持辺とを有してなる構成にしたものである。
請求項４に係る発明は、前記クリップの取付け辺を、挟持辺を有する両側に対して中心が下方に突出する如く湾曲させ、該取付け辺を作動部材の平坦な下面に対面させるとともに、該取付け辺を前記作動部材の下面に押し付けて平坦状に弾性変形させる締め具を設けたものである。
【発明の効果】
【００１０】
請求項１に係る発明は、各クランプアームの上辺に、縦辺に対して外側方に突出する補助上辺を設けるようにしたので、作動部材の左右端が前記上辺及び補助上辺の双方に摺動可能に係止することになる。このため、左右のクランプアームを接近方向に大きく移動させ、その挟持爪を大きく接近させても、前記作動部材がクランプアームから離脱しなくなる。このため、狭い幅の挟持物Ｗ１を安定して挟持することができる。即ち、左右の挟持爪を接近させて狭い幅の挟持物を挟み、操作ボルトをねじ込んで作動部材を下方に押圧すると、作動部材の左右端が前記補助上辺に係止し、該補助上辺を介して左右のクランプアームをスライド孔を中心として下方に回動し、前記左右の挟持爪が接近方向に移動して前記挟持物Ｗ１を挟圧するとともに、各クランプアームの上辺の交差角度が大きくなって前記スライド孔に係合する。これにより、狭い幅の挟持物Ｗ１を安定して挟持することができる。
請求項２記載の発明は、前記左右の縦辺の下部を上部に対して接近する方向に偏倚させたので、前記補助上辺の外側方への突出量を小さくしながら、狭い幅の挟持物Ｗ１を安定して挟持することができる。
請求項３に係る発明は、前記作動部材の下部に設けたクリップを作動させることにより、他の挟持物を挟持したり、あるいは支持金具を挟持してクランプ治具を該支持金具に取り付けたりすることができる。
請求項４に係る発明は、締め具を操作することによって前記クリップの挟持力を高くすることができる。
【発明を実施するための最良の形態】
【００１１】
以下本発明の実施の形態を図面に基いて説明する。図において、図１は本発明の実施例を示す伸長状態の正面断面図、図２は本発明の実施例を示す短縮状態の正面断面図、図３は図１のIII-IIIによる拡大断面図、図４は図１のIV-IVによる拡大断面図である。
【００１２】
図１〜図４において、２０はクランプ治具であり、直方体状の連結部材２１、正面視Ｌ形に屈曲させた二組みのクランプアーム２６、作動部材３５、クリップ４２、及び操作ボルト４７を主要部品として構成される。
【００１３】
前記連結部材２１は、図３に示すように、角筒状のケース２１ａの左右中心部に直方体状のブロック２１ｂを嵌合させて溶接固定し、ケース２１ａ及びブロック２１ｂの左右中心部にねじ孔２３を上下方向に貫通形成し、ケース２１ａの左右（図１において前後）両側に長方形状のスライド孔２４を図１において左右方向に貫通形成してなる。
【００１４】
前記クランプアーム２６は、図１、図３に示すように、挟持爪２７を有するＬ形の連結板２８の前後（図３において左右）縁部に一対の縦辺２９を上方に延出させて溶接固定し、該縦辺２９の上端部に図１において左右方向（横向き）に延出する上辺３０を一体に形成する。該上辺３０は、その基部側を前記縦辺２９から外側方に延出させ、この延出部を補助上辺３１とする。また、前記縦辺２９の下部２９ａは上部２９ｂに対して内側方（互いに接近する方向）に偏倚させる。二組みのクランプアーム２６，２６は、互いに対向させてそれぞれの上辺３０，３０を前記連結部材２１のスライド孔２４に左右方向から交差させて摺動自在に嵌合させる。
【００１５】
前記作動部材３５は、図１において左右に細長い受け板３６の左右両側に前後一対の懸垂アーム３７を上に向けて延出形成し、該懸垂アーム３７の上端部に下方に向かって反転屈曲するフック３８を形成し、該フック３８を前記各クランプアーム２６の上辺３０に上方から摺動可能に係止する。また、前記受け板３６の左右中心部の上面に嵌合孔を有するガイド３９を起立固定する。
【００１６】
前記受け板３６の下面に板ばね製のクリップ４２を固定する。該クリップ４２は、図３、図４に示すように、下方に向けて凹溝形に湾曲させた取付け辺４３の左右両側に、互いに対面方向に湾曲する一対の挟持辺４４を一体に形成してなり、図１に示すように、左右２個のボルト、ナットからなる締め具４５により、前記取付け辺４３を受け板３６の下面に係止する。図１において４６は当て板である。そして、図４に示すように、前記クリップ４２により第２の挟持物Ｗ３を挟持する際には、前記締め具４５を締付け操作し、当て板４６を介して前記取付け辺４３を受け板３６の下面に押し付け、該取付け辺４３を前記受け板３６の下面に沿う平坦状に弾性変形させ、これにより前記左右の挟持辺４４を接近方向に回動させて挟持物Ｗ３を挟持する。
【００１７】
前記操作ボルト４７は、図１に示すように、ねじ部４８の頭部にリング状のつまみ４９を有し、前記ねじ部４８を前記連結部材２１のねじ孔２３に上方から螺合させ、該ねじ部４８の下部を前記ガイド３９に遊嵌させる。
【００１８】
前記クランプ治具１により広幅の挟持物Ｗ１を挟持する際には、図１に示すように、まず、左右のクランプアーム２６，２６を接近方向に移動させてその挟持爪２７，２７を挟持物Ｗ１の左右側に当接させ、次いで、操作ボルト４７をねじ込み、ねじ部４８の下端で作動部材３５の受け板３６を下方に押圧する。さすれば、各クランプアーム２６，２６が前記作動部材３５のフック３８を介して下方に引っ張られ、左右のクランプアーム２６，２６がスライド孔２４を中心として下方に回動し、左右の挟持爪２７，２７が接近方向に移動して前記挟持物Ｗ１を挟圧するとともに、各クランプアーム２６，２６の上辺３０，３０の交差角度が大きくなって前記スライド孔２４に係合する。これにより前記挟持物Ｗ１を挟持することになる。
【００１９】
また、前記クランプ治具１により小幅な挟持物Ｗ２を挟持する際には、図２に示すように、まず、左右のクランプアーム２６，２６を大きく接近方向に移動させてその挟持爪２７，２７を挟持物Ｗ２の左右側に当接させる。この場合、前記クランプアーム２６，２６の接近移動により、その上辺３０がフック３８の内側に位置すると、前記フック２９は上辺３０から外側方に延長した補助上辺３１に係止することになる。
【００２０】
このため、操作ボルト４７をねじ込んで前記受け板３６を下方に押圧すると、前述と同様に、各クランプアーム２６，２６が前記フック３８を介して下方に引っ張られ、左右のクランプアーム２６，２６がスライド孔２４を中心として下方に回動し、左右の挟持爪２７，２７が接近方向に移動して前記挟持物Ｗ２を挟圧するとともに、各クランプアーム２６，２６の上辺３０，３０の交差角度が大きくなって前記スライド孔２４に係合し、前記小幅な持物Ｗ２を安定して挟持することになる。
【図面の簡単な説明】
【００２１】
【図１】本発明の実施例を示す伸長状態の正面断面図である。
【図２】本発明の実施例を示す短縮状態の正面断面図である。
【図３】図１のIII-IIIによる拡大断面図である。
【図４】図１のIV-IVによる拡大断面図である。
【図５】従来のクランプ治具を示す部分断面正面図である。
【符号の説明】
【００２２】
２０    クランプ治具
２１    連結部材
２１ａ  ケース
２１ｂ  ブロック
２３    ねじ孔
２４    スライド孔
２６    クランプアーム
２７    挟持爪
２８    連結板
２９    縦辺
２９ａ  縦辺の下部
２９ｂ  縦辺の上部
３０    上辺
３１    補助上辺
３５    作動部材
３６    受け板
３７    懸垂アーム
３８    フック
３９    ガイド
４２    クリップ
４３    取付け辺
４４    挟持辺
４５    締め具
４６    当て板
４７    操作ボルト
４８    ねじ部
４９    つまみ
【図１】
2007307653.tif 000003
【図２】
2007307653.tif 000004
【図３】
2007307653.tif 000005
【図４】
2007307653.tif 000006
【図５】
2007307653.tif 000007